(57)【要約】【課題】簡単な構造で、長期保管性に優れる金属空気電池を提供することを目的とする。【解決手段】本発明の金属空気電池（１）は、金属空気電池本体（２）と、内側にＡｌを貼合した紙パック（３）と、を具備し、前記金属空気電池本体は、前記紙パック内に収納されていることを特徴とする。本発明の金属空気電池によれば、簡単な構造で、長期保管性に優れる。したがって、使用時には、金属空気電池を簡単に取り出すことができ、また、保管時には、酸化等による劣化を長期間防止することができる。【選択図】図１
2019186163.tif 000002
【特許請求の範囲】
【請求項１】
金属空気電池本体と、内側にＡｌを貼合した紙パックと、を具備し、
前記金属空気電池本体は、前記紙パック内に収納されていることを特徴とする金属空気電池。
【発明の詳細な説明】
【技術分野】
【０００１】
本発明は、金属空気電池に関する。
【背景技術】
【０００２】
金属空気電池では、正極である空気極において、大気中の酸素を正極活物質として利用し、当該酸素の酸化還元反応が行われる。一方、負極である金属極において、金属の酸化還元反応が行われる。金属空気電池のエネルギー密度は高く、災害時等における非常用電源等の役割として期待されている。電解液を金属空気電池に給水する事で発電が開始される。
【０００３】
従来においては、様々な金属空気電池の構造が提案されている（例えば、特許文献１及び特許文献２）。
【０００４】
特許文献１によれば、金属極と空気極とを筐体内に組み込んだセルに電解液を注入し、発電させている。
【０００５】
特許文献２によれば、金属極と空気極とを筐体内に組み込んだセルとは別に、電解液を入れた容器を用意し、セルを容器内に入れることで、電解液をセル内に流入させ発電させている。
【先行技術文献】
【特許文献】
【０００６】
【特許文献１】特開２０１６−１３１０６３号公報
【特許文献２】特開２０１６−７１９８６号公報
【発明の概要】
【発明が解決しようとする課題】
【０００７】
ところで、従来においては、販売時に、金属空気電池を梱包する等していたが、梱包材を用いると、使用時の開梱に手間が生じる問題があった。また、酸化等による劣化を抑制すべく優れた長期保管性を有することが必要とされる。
【０００８】
本発明はかかる点に鑑みてなされたものであり、簡単な構造で、長期保管性に優れる金属空気電池を提供することを目的とする。
【課題を解決するための手段】
【０００９】
本発明の金属空気電池は、金属空気電池本体と、内側にＡｌを貼合した紙パックと、を具備し、前記金属空気電池本体は、前記紙パック内に収納されていることを特徴とする。
【発明の効果】
【００１０】
本発明の金属空気電池によれば、簡単な構造で、長期保管性に優れる。したがって、使用時には、金属空気電池を簡単に取り出すことができ、また、保管時には、酸化等による劣化を長期間防止することができる。
【図面の簡単な説明】
【００１１】
【図１】本実施形態の金属空気電池の斜視図である。
【図２】本実施形態の金属空気電池の断面図である。
【発明を実施するための形態】
【００１２】
以下、本発明の一実施の形態（以下、「実施の形態」と略記する。）について、詳細に説明する。なお、本発明は、以下の実施の形態に限定されるものではなく、その要旨の範囲内で種々変形して実施することができる。
【００１３】
図１に示すように、金属空気電池１は、金属空気電池本体２と、紙パック３と、を具備して構成される。
【００１４】
本実施形態における紙パック３は、紙素材の内側全体にＡｌを貼合したバリア性素材である。
【００１５】
図１に示すように、紙パック３内に、金属空気電池本体２が収納されている。図１に示すように、金属空気電池本体２が紙パック３内に収納された状態で、紙パック３の開口部３ａがシールされている。これにより、金属空気電池本体２の周囲全体を、Ａｌが貼合されたバリア性素材で囲むことができる。このため、金属空気電池本体２を、酸化や水蒸気等から適切に保護することができる。以上により、簡単な構造で、長期保管が可能である。また、紙パックでは、紙材の内面にＡｌを貼合した構造であるため、素材単価を低減できコスト面でも優れる。また、使用する際には、紙パック３の開口部３ａを空けて、中から金属空気電池本体２を取り出せばよいので、従来のように、開梱に手間がかかる等の不具合は生じない。
【００１６】
紙パック３から金属空気電池本体２を取り出し、紙パック３内に電解液としての食塩水を所定量だけ給水する。そして、金属空気電池本体２を再び紙パック３内に挿入した状態が、図２に示されている。
【００１７】
図２に示すように、金属空気電池本体２は、例えば、複数の金属空気電池セル２２を備えて構成される。図３では、金属空気電池セル２２の数は、３つであるが、金属空気電池セル２２の数を限定するものでなく、１つであっても、２つであってもよいし、４つ以上であってもよい。
【００１８】
図２に示すように、各金属空気電池セル２２には、空気室１０と液室１１とが設けられる。空気室１０は、例えば、上部を除いて周囲が囲まれている。一方、液室１１は、給水口１３を除いて周囲が囲まれている。給水口１３は、図２に示すように、液室１１の下部に設けられている。図２に示すように、空気室１０と液室１１とは隔離されており、液室１１に注入された電解液が、空気室１０に漏れ出ることがない。
【００１９】
図２に示すように、各金属空気電池セル２２は、電極として、空気極６と、金属極７とを、有して構成される。空気極６及び金属極７は、夫々、金属空気電池セル２２を構成する筐体に支持されている。図２に示すように、空気極６と金属極７とは、液室１１にて対向配置されている。空気極６の一方の面は、液室１１に露出し、空気極６の他方の面は、空気室１０に露出している。
【００２０】
図２に示すように、金属極７は、空気極６から液室１１内に所定距離だけ離れた位置に配置されている。金属極７は、その上部が固定されるが、下部は、自由端（非固定）とされている。
【００２１】
本実施形態では、金属空気電池本体２を、紙パック３から取り出した後、紙パック３内に電解液５を供給する。そして、金属空気電池本体２を、紙パック３内に、再び挿入する。
【００２２】
図２に示すように、電解液５は、各金属空気電池セル２２の給水口１３から各液室１１内に導かれる。電解液５は、給水口１３を介して各液室１１内に同時に注入される。このとき、図２に示すように、電解液５は、空気室１０に流れ込むことがない。
【００２３】
図２に示すように、電解液５が液室１１に供給されると、例えば、金属極７がマグネシウムであるとき、金属極７の近傍においては、下記（１）で示す酸化反応が生じる。また、空気極６においては、下記（２）で示す還元反応が生じる。マグネシウム空気電池全体としては、下記（３）に示す反応が起こり、放電が行われる。
（１）２Ｍｇ                  →２Ｍｇ２＋＋４ｅ−
（２）Ｏ２＋２Ｈ２Ｏ＋４ｅ−  →４ＯＨ−
（３）２Ｍｇ＋Ｏ２＋２Ｈ２Ｏ  →２Ｍｇ（ＯＨ）２
【００２４】
また、図示しないが、金属極７の周辺には、電池反応にて発生した水素等の生成ガスを液室１１から外部へ排出する穴が、設けられていることが好ましい。
【００２５】
また、図２に示すように、金属極７は、各金属空気電池セル２２の底部に設けられた給水口１３と対向して配置されることが好ましい。金属極７と空気極６の酸化還元反応の際に生じる生成物を、給水口１３を介してケース３側に放出しやすい。これにより、生成物が、各金属空気電池セル２２内に溜まることによる電極の破損や電気特性の劣化を抑制することが可能である。
【００２６】
また、各金属空気電池セル２２の底部以外に給水口１３を設ける場合でも、例えば、給水口１３を、金属空気電池セル２２の側部の下側に配置し、金属極７を、給水口１３と対向配置させてもよい。「側部の下側」とは、側部の高さ寸法の下半分、好ましくは、高さ寸法の１/２以下の下側部分、より好ましくは、高さ寸法の１/３以下の下側部分である。これによっても、生成物の放出効果を得ることができる。
【００２７】
また、本実施形態では、金属極７の下部を自由端としている。これにより、金属極７を適切に給水口１３に対向して配置することができる。また、金属極７の下部を自由端とすることで、金属極７の下部を揺動させることができる。このため、空気極６と金属極７との間に生成物が堆積したときに、金属極７を撓らせることができ、生成物による押圧力を緩和でき、金属極７及び空気極６の破損を抑制することが出来る。
【００２８】
図２に示すように、電解液５が入った紙パック３内に金属空気電池本体２を挿入することで、例えば上記した反応が起こり、発電が開始される。発電を停止したい場合は、金属空気電池本体２を紙パック３から取り出せばよい。
【００２９】
このように、本実施形態の金属空気電池１の使用方法によれば、金属空気電池本体２を取り外した紙パック３内に電解液５を供給し、その紙パック３内に金属空気電池本体２を挿入することで、簡単に且つ素早く発電させることができる。したがって、非常用電池としての利便性を従来よりも向上させることができる。
【００３０】
また、廃棄する際には、図２の状態から、紙パック３から金属空気電池本体２を取り出すと共に、紙パック３内の電解液５を除去したうえで、金属空気電池本体２を紙パック３に入れて処分する。或いは、紙パック３と金属空気電池本体２とを分別して処分する。上記のように紙パック３内の電解液５を除去しているから、その紙パック３内に、金属空気電池本体２を入れても発電せず、水素発生や電解液の漏れ出し等なく廃棄処分が可能である。
【００３１】
本実施の形態における金属空気電池１は、マグネシウム空気電池であっても他の金属空気電池であっても適用可能である。
【００３２】
また、各金属空気電池セル２２の各電極を直列接続しても並列接続してもよく、配線方法を特に限定するものではない。
【産業上の利用可能性】
【００３３】
本発明の金属空気電池によれば、紙パックから金属空気電池本体を簡単に取り出すことができ、誰でも簡単に且つ素早く発電させることができる。したがって、本発明の金属空気電池を、災害時等における非常用電源等として有効に適用することが出来る。
【符号の説明】
【００３４】
１    ：金属空気電池
２    ：金属空気電池本体
３    ：紙パック
５    ：電解液
６    ：空気極
７    ：金属極
１０  ：空気室
１１  ：液室
１３  ：給水口
２２  ：金属空気電池セル
【図１】
2019186163.tif 000003
【図２】
2019186163.tif 000004